(57)【特許請求の範囲】
【請求項１】
フィルタエレメントと、
前記フィルタエレメントを収容保持し、一端に開口を有する有底のクリーナーケースと、
前記開口を覆って前記クリーナーケースに取り付けられるケースカバーと、
前記ケースカバーの内部に取り付けられ、前記ケースカバーが前記開口を覆った状態で前記フィルタエレメントの一端を保持するように設けられた有底のダストカバーとを備え、
前記フィルタエレメントの一端の底面上に断面台形状のリング状のシールが外方に突出して一体に設けられるとともに、前記ダストカバーの内部底面に前記シール断面と同一断面形状で同一径のリング状の凹部からなる受容溝が設けられ、前記シールが前記リング状受容溝内に受容されることにより、前記ダストカバーの前記フィルタエレメントに対する保持位置決めが行われるとともに、リング状の前記シールに囲まれた内部領域が他の外部領域に対してシールされるように構成されていることを特徴とするエアクリーナー。
【請求項２】
前記クリーナーケースは前記一端側の開口を下方に向けて配設され、前記フィルタエレメントが前記一端側の開口から前記クリーナーケース内に上方に向かって挿入されて取り付けられ、この状態の前記フィルタエレメントの下端に前記受容溝内に前記シールを受容させるようにして前記ダストカバーが取り付けられ、前記フィルタエレメントの下端および前記ダストカバーを覆うとともに前記クリーナーケースの一端側の開口を覆って前記ケースカバーが前記クリーナーケースに装着されるように構成され、
前記ダストカバーには前記フィルタエレメントを受容する部分より外周側に前記クリーナーケースの内部空間と連通する連通部が設けられており、前記フィルタエレメントの濾材を通過できない大きさの小石、埃等が前記連通部を通過して前記ダストカバーと前記ケースカバーとに囲まれた空間内に捕捉されるように構成されていることを特徴とする請求項１に記載のエアクリーナー。
【発明の詳細な説明】
【０００１】
【発明の属する技術分野】
本発明は、エンジン等に用いられ、その吸入空気中の塵埃を除去するフィルタエレメントを有したエアクリーナーに関する。
【０００２】
【従来の技術】
エアクリーナーは例えば車両用エンジンの吸気系統に備えられており、空気入口より空気を取り入れ、その中の微細なごみや埃等を除去して清浄化した上でエンジン等に供給するようになっている。このようにエアクリーナーが空気の濾過作用を行うことによりシリンダ内には大きなごみが入り込むことがなくなり、シリンダの摩耗の進行が抑えられてエンジンの寿命低下が防止される。
【０００３】
このようなエアクリーナーとして、フィルタエレメント（濾過材）と、フィルタエレメントを収容保持し、一端に開口を有する有底のクリーナーケースと、開口を覆ってクリーナーケースに取り付けられるケースカバーと、ケースカバーの内部に取り付けられ、ケースカバーが開口を覆った状態でフィルタエレメントの一端を保持するように設けられた有底のダストカバーとを備えたものがある。このような構成のエアクリーナーによれば、空気が空気入口としてのインレット部からクリーナーケース内に入り、クリーナーケース内のフィルタエレメントを通って清浄化され、空気出口としてのアウトレット部から清浄化された空気がクリーナーケース外へ出る。
【０００４】
フィルタエレメントは一般に、多数の孔が形成された円筒殻からなる基部の外周に蛇腹状に折り畳んだ不織布からなる濾紙を巻き付けるように取り付け、その上端及び下端を基部の内径と同程度の径の開口を有する円盤状の固定キャップにより保持された構成となっている。このような構成のフィルタエレメントは、ダストカバーによりフィルタエレメントの一端が保持された状態でクリーナーケースの開口部より挿入取り付けされ、このダストカバーをさらに保持するようにしてケースカバーがクリーナーケースの開口部を覆って取り付けられる。また、クリーナーケース内の空気が濾過清浄化されずに固定キャップの開口部を通ってフィルタエレメント内に入り込むのを防ぐため、ダストカバーの内部底面にリング状の受容溝が設けられるとともに、例えばＯリングといったリング状のシールがフィルタエレメントとは別体に設けられる。そして、シールがリング状受容溝内に受容され、さらにフィルタエレメントの端部底面がシールと当接することにより、フィルタエレメントのダストカバー側固定キャップの開口部がその開口部の外部に対してシールされる。
【０００５】
【発明が解決しようとする課題】
リング状のシールがフィルタエレメントに対して別体に設けられているため、例えば、フィルタエレメントの軸芯とクリーナーケース内部の軸芯とが偏芯するようにしてフィルタエレメントがクリーナーケース内に収容される場合のように、ダストカバーのフィルタエレメントに対する保持位置決めを行う必要がある場合には、別途フィルタエレメントに対する保持位置決め機能を設けていた。しかしながら、フィルタエレメントをクリーナーケース内に収容してケースカバーをクリーナーケースの開口を覆って取り付ける作業が手間取るため、シール機能と保持位置決め機能とを併せ持った機構を求める要望があった。
【０００６】
本発明は、このような問題に鑑みてなされたものであり、フィルタエレメント着脱時の作業性を向上させたエアクリーナーを提供することを目的とする。
【０００７】
【課題を解決するための手段】
このような目的達成のため、本発明においては、フィルタエレメントと、フィルタエレメントを収容保持し、一端に開口を有する有底のクリーナーケースと、開口を覆ってクリーナーケースに取り付けられるケースカバーと、ケースカバーの内部に取り付けられ、ケースカバーが開口を覆った状態でフィルタエレメントの一端を保持するように設けられた有底のダストカバーとを備えたエアクリーナーにおいて、フィルタエレメントの一端の底面上に断面台形状のリング状のシール（当該実施例における下部シール）が外方に突出して一体に設けられるとともに、ダストカバーの内部底面にシール断面と同一断面形状で同一径のリング状の凹部からなる受容溝が設けられ、シールがリング状受容溝内に受容されることにより、ダストカバーのフィルタエレメントに対する保持位置決めが行われるとともに、リング状のシールに囲まれた内部領域が他の外部領域に対してシールされるように構成される。
なお、クリーナーケースは一端側の開口を下方に向けて配設され、フィルタエレメントがこの一端側の開口からクリーナーケース内に上方に向かって挿入されて取り付けられ、この状態のフィルタエレメントの下端に受容溝内にシールを受容させるようにしてダストカバーが取り付けられ、フィルタエレメントの下端およびダストカバーを覆うとともにクリーナーケースの一端側の開口を覆ってケースカバーがクリーナーケースに装着されるように構成され、ダストカバーにはフィルタエレメントを受容する部分より外周側にクリーナーケースの内部空間と連通する連通部が設けられており、フィルタエレメントの濾材を通過できない大きさの小石、埃等が連通部を通過してダストカバーとケースカバーとに囲まれた空間内に捕捉されるように構成されているのが好ましい。
【０００８】
このような構成によれば、断面台形状のリング状のシールがフィルタエレメントの一端の底面上に外方に突出して一体に設けられているため、ダストカバーの内部底面に設けられたシール断面と同一断面形状で同一径のリング状の凹部からなる受容溝内にこのシールを容易に受容させると同時にダストカバーのフィルタエレメントに対する保持位置決めを行うことができる。このことから、別途フィルタエレメントに対する保持位置決め機能を設けなくてもよいため、クリーナーケース内の構造がより単純化されて、フィルタエレメントをクリーナーケース内に収容してケースカバーをクリーナーケースの開口を覆って取り付ける作業が容易となり、フィルタエレメント着脱時の作業性は向上する。
【０００９】
【発明の実施の形態】
以下、図面を参照して本発明の好ましい実施形態について説明する。図１は本発明に係るエアクリーナーの一実施形態を示す部分断面正面図であり、図２はその部分断面右側面図、図３は部分断面左側面図、図４は部分断面平面図である。また、図５は図１における矢視V−Vより見た断面図、図６は図２における矢視VI−VIより見た断面図、図７は図３における矢視VIIより見たの底面図である。また、図８は本エアクリーナーの分解斜視図である。
【００１０】
図８に示すように、本エアクリーナー１はクリーナーケース１０と、このクリーナーケース１０内に収容保持された円筒状のフィルタエレメント６０と、クリーナーケース１０内に着脱自在に取り付けられて水分離部材としての役割を果たすインレットパイプ７０とを備えて構成される。ここでクリーナーケース１０はケース本体２０と、このケース本体２０の上部に着脱自在に取り付けられる上部カバー３０と、ケース本体２０の下部に着脱自在に取り付けられるケースカバー４０と、ケース本体２０の側部に着脱自在に取り付けられる側部カバー５０とを有して構成されている。
【００１１】
クリーナーケース１０のケース本体２０はその中央部が縦長の円筒形状に形成されており、その内部にはフィルタエレメント６０を収容するための円筒状のエレメント収容空間ＥＳが形成されている（図５及び図６参照）。このエレメント収容空間ＥＳを構成するケース本体２０の上壁２１中央部には円形の上部開口２１ａが形成されており（図８参照）、この上部開口２１ａからは円筒状の連通管２２が下方に延びて設けられている（図５参照）。また、エレメント収容空間ＥＳの正面側には中空の水溜め槽半体２３が形成されており、その右壁２３ａからは空気の入口であるインレット２４が右方水平に突出して延びて設けられている。水溜め槽半体２３の内部壁２３ｂの上部にはエレメント収容空間ＥＳと繋がる空気流入窓２５が開口しており、インレット２４より流入した空気はこの空気流入窓２５からエレメント収容空間ＥＳ内に入り込むようになっている。
【００１２】
クリーナーケース１０を構成する側部カバー５０はケース本体２０に形成された上述の水溜め槽半体２３の前方に着脱自在に取り付けられ、この側部カバー５０がケース本体２０に取り付けられた状態では、水溜め槽半体２３と側部カバー５０とにより水溜め槽が形成されてその内部には水溜め空間ＷＳが形作られる（図４，５，６参照）。水溜め槽半体２３の下部には水抜き孔が設けられており、この水抜き孔には水抜き用のアンローダバルブ９１が取り付けられている（図２，７，８参照）。
【００１３】
図９はインレットパイプ７０の斜視図を示している。このインレットパイプ７０の基部７１はほぼ円筒状に形成されて水平方向に延びており、その上下部にはケース本体２０に本インレットパイプ７０を取り付けるための耳部７２，７２が上下に張り出して設けられている。基部７１のケース本体２０側に位置する内面は空気の入口側（インレット２４側）では円筒曲面状に形成されているが、空気の出口側（空気流入窓２５側）ではほぼ平面状に形成されるとともに、空気の出口側に延出して延びた空気案内部７３が設けられている。また、空気案内部７３の下方側には空気の出口側にほぼ水平に突出して延びた水分案内部７４が設けられており、その先端部は先鋭状に形成されている。また、この水分案内部７４の空気案内部７３とは反対側（側部カバー５０側）の付け根部、すなわち空気案内部７３と水分案内部７４との間にはインレット２４側に延びた切り欠き７５が設けられている。
【００１４】
ケース本体２０に形成された上記空気流入窓２５の上下位置には、図８に示すようにインレットパイプ７０を取り付けるための上下の突起２６，２６が設けられており、これら突起２６，２６にインレットパイプ７０の上下の耳部７２，７２に形成された孔７２ａ，７２ａを貫通させた上で両突起２６，２６の端部にプッシュナットＮ，Ｎを装着することによりインレットパイプ７０をケース本体２０に取り付けることができる。このように本エアクリーナー１におけるインレットパイプ７０はケース本体２０に対して着脱自在である。
【００１５】
図１０はフィルタエレメント６０の部分断面正面図である。この図に示すように、本エアクリーナー１に用いられるフィルタエレメント６０は多数の孔が形成された円筒殻からなる基部６１の外周に蛇腹状に折り畳んだ不織布からなる濾紙６２を巻き付けるように取り付け、その上端及び下端を円盤状の固定キャップ６３，６４により保持した構成となっている。上方の固定キャップ６３の中央部には基部６１の外周よりもやや大きい内周を有する円孔からなる空気排出口６１ａが設けられており、この空気排出口６１ａには上方に向かって外方に開いた円錐状のリップ部６５ａを有する円筒状のシール部材６５が取り付けられている。
【００１６】
また、フィルタエレメント６０の下方に位置する固定キャップ６４は、基部６１の外周に巻き付けられた濾紙６２の底面の形状に合わせて形成された円盤形状を有し、その中央部には基部６１の内径と同程度の内径を有する開口６４ａが形成されている。そこで、エレメント収容空間ＥＳ内の空気が濾紙６２で濾過清浄化されずに固定キャップ６４の開口６４ａを通ってフィルタエレメント６０内に入り込むのを防ぐため、固定キャップ６４の下面側には断面台形リング状の下部シール６６が一体に設けられている。それとともに、フィルタエレメント６０の下部を保持するダストカバー８０の底面部には図５及び図１１に示すように断面台形状のリング状受容溝８１が設けられており、下部シール６６が受容溝８１内に受容されることによって、固定キャップ６４の開口６４ａはエレメント収容空間ＥＳに対してシールされる。なお、下部シール６６はシール性能を有するゴムを材料としており、樹脂やウレタン等を材料とする固定キャップ６４と一体に成型されている。
【００１７】
フィルタエレメント６０は図５、図８及び図１１に示すように上方に開口した円筒皿状のダストカバー８０により下部が保持された状態でケース本体２０の下部より挿入取り付けされ、このダストカバー８０を更に下から保持するように上方に開口した円筒皿状のケースカバー４０がケース本体２０の下部に装着される。ダストカバー８０の底面部には断面台形状のリング状受容溝８１が形成されており、ダストカバー８０がフィルタエレメント６０の下部に取り付けられた状態では、上記フィルタエレメント６０下部の下部シール６６が上方から嵌入するようになっている。これにより、下部シール６６が受容溝８１内に受容されると同時にダストカバー８０のフィルタエレメント６０に対する保持位置決めが行われる。また、ダストカバー８０の外周部には外方に張り出して設けられたリング状のガスケット保持部８２が設けられており、このガスケット保持部８２にはリング状のガスケット８３が取り付けられている（図５及び図８参照）。このガスケットはケース本体２０内に取り付けられたときにケース本体２０の内壁に密着してダストカバー８０とケース本体２０内面との間の気密性を保つ働きをする。
【００１８】
ケースカバー４０の外周部には揺動自在に取り付けられた３つのクランプ４３，４３，４３が取り付けられており、これらクランプ４３，４３，４３をケース本体２０下部に設けられたクランプ係止部２７に係止することにより下部カバー４０をケース本体２０に固定することができるようになっている。また、下部カバー４０の中央部には上下に貫通した孔が設けられており、この孔にはアンローダバルブ９２が取り付けられている（図５，７，８参照）。
【００１９】
このようにフィルタエレメント６０がエレメント収容空間ＥＳ内に装着されると、ケース本体２０の上壁２１より下方に延びて形成された前述の連通管２２がフィルタエレメント６０の上部に取り付けられたシール部材６５の開口部６５ａより嵌入する。フィルタエレメント６０が完全にケース本体２０内に装着されると、シール部材６５のリップ部６５ｂはケース本体２０の上壁２１に下方から押し付けられて外方に開き、円錐部内の空気が負圧になってリップ部６５ｂがケース本体２０の上壁２１に密着する。これによりフィルタエレメント６０の基部６１と連通管２２との間はシールされた状態となり、フィルタエレメント６０の基部６１内の空気は効率よくアウトレット３２に流れるようになる。
【００２０】
また、ケース本体２０の上壁２１下面には図５に示すように下方に突出したリング状のリップ部保護部２９が設けられており、上述のようにフィルタエレメント６０がエレメント収容空間ＥＳ内に取り付けられた状態では、外方に開いたシール部材６５のリップ部６５ｂはそのリップ部保護部２９の内方に位置するようになっている。すなわち、フィルタエレメント６０がクリーナーケース１０内に取り付けられた状態では、リップ部保護部２９は外方に広がったシール部材６５のリップ部６５ｂの外周を囲んで位置している。
【００２１】
上部カバー３０はケース本体２０の上部に取り付けられる。この上部カバー３０には箱形形状のボックス部３１と、このボックス部３１の中央部より水平に屈曲して延びて形成された筒状のアウトレット（空気出口）３２とを有しており、上部カバー３０がケース本体２０の上壁２１上面側に形成された上部カバー取付枠２８に取り付けられた状態では、ボックス部３１とケース本体２０の上壁２１との間にレゾネータ空間ＲＳが形成されるようになっている（図５参照）。インレット２４より流入した空気は空気流入窓２５よりエレメント収容空間ＥＳ内に入り、フィルタエレメント６０の外周を回りながら流れる。そして、フィルタエレメント６０の濾紙６２をその外周部より内周部に向かう方向に通過して基部６１の内部空間内に至り、この基部６１の内部空間と連通した連通管２２より上記レゾネータ空間ＲＳ内を経てアウトレット３２から本エアクリーナー１の外部に排出される。アウトレット３２はエンジン（図示せず）の吸気系統に接続されるため、本エアクリーナー１内の空気はエンジンの吸気バルブの開閉により振動するが、上記のように空気の流路の途中にレゾネータ空間ＲＳ、すなわち共鳴空間が位置しているために吸気騒音は減衰し、吸気動作もスムーズに行われるようになる。
【００２２】
また、上述のように、空気流入窓２５よりエレメント収容空間ＥＳ内に入った空気はフィルタエレメント６０の外周を回りながら流れるので、その遠心力により空気中に含まれる大きな埃や小石などが分離される。本エアクリーナー１においては、図６に示すように円筒状のエレメント収容空間ＥＳの中心軸ＡＸ１とこのエレメント収容空間ＥＳ内に保持されたフィルタエレメント６０の中心軸ＡＸ２とは僅かにずれてフィルタエレメント６０の中心軸ＡＸ２はエレメント収容空間ＥＳの中心軸ＡＸ１の後右方（図６では紙面の右下方）に位置しており、エレメント収容空間ＥＳを形成する円筒状のケース本体２０の内壁とフィルタエレメント６０の外面とがなす空気通路の幅は広い部分から狭い部分へ滑らかに変化するようになっているので、インレット２４より流入した空気の速度は徐々に速められてより効果的に小石等を分離できるようになっている。
【００２３】
このように遠心力により分離された小石等はケース本体２０の内壁に沿って下方に落ちていくが、これら小石等をケースカバー４０内に導くため、リング状のガスケット保持部８２の一部には上下に貫通した切り欠き部８４（図６及び図１１において斜線で示す部分）が設けられている。ケースカバー４０の底壁４１の上面側には図６及び図８に示すようにダストカバー８０の底面を支持する３つのダストカバー支持リブ４２，４２，４２が設けられているが、これらダストカバー支持リブ４２，４２，４２はインレット２４から流入した空気がケース本体２０内を回る方向と同一の方向に曲がった羽根形状をしているので、ケース本体２０内を回ることにより空気中より分離され、上記ガスケット保持部８２の切り欠き部８４を通ってケースカバー４０まで降りてきた大きな埃や小石等はケースカバー４０の中央に集められる。このようにしてケースカバー４０の中央に集められた大きな埃や小石等は前述のクランプ４３，４３，４３による係止を解除してケースカバー４０をケース本体２０より取り外すことにより本エアクリーナー１の外部に排出させることができる。
【００２４】
インレット２４よりケース本体２０内に流入した空気中の水分はインレットパイプ７０の基部内壁（基部７１の内壁）において凝結して水滴となるが、この基部内壁に付着した水滴は自重により基部内壁の底部へ移動するとともに、エレメント収容空間ＥＳに流れる空気により空気の出口側（空気流入窓２５側）に押されて移動するのでインレットパイプ７０に形成された前述の切り欠き７５より水溜め空間ＷＳ内に落下する。また、インレットパイプ７０の水分案内部７４の先端が水溜め空間ＷＳ内に位置していることから、上記切り欠き７５より落下しなかった水分も水分案内部７４を伝ってその先端部から水溜め空間ＷＳ内に落下する。ここで、インレット２４より流入した空気中の水分が凝結し易いようにするため、インレット２４内に格子状の部材（例えばハニカム構造の筒状部材）を挿入取り付けするようにしてもよい。また、インレットパイプ７０の基部内壁において水滴とならなかった空気（水分を含んだ空気）は水分を含まない空気よりも慣性が大きいため、空気流入窓２５よりエレメント収容空間ＥＳ内に流入することなく直進してその多くは水溜め空間ＷＳ内に入ることになる。このように水溜め空間ＷＳ内に蓄積された水分は前述のアンローダバルブ９１を押し上げて水溜め槽半体２３に設けられた水抜き孔を開放することにより本エアクリーナー１の外部に排出させることができる。
【００２５】
上述のように、インレット２４より流入した空気中の水分はインレットパイプ７０において分離されて水溜め空間ＷＳ内に蓄積されるが、全ての水分がインレットパイプ７０において分離されるわけではない。インレットパイプ７０において流入空気より分離されなかった水分はケース本体２０の空気流入窓２５よりエレメント収容空間ＥＳ内に入り込むが、その水分はエレメント収容空間ＥＳ内を回る間にケース本体２０の内壁において凝結して下方に流れ落ちる。このような水分は図５からも分かるようにダストカバー８０のガスケット保持部８２に流れ落ちるが、このガスケット保持部８２に流れ落ちた水分は前述の切り欠き８４部よりケースカバー４０内へ流入する。このようにケースカバー４０内へ流入した水分は上述のアンローダバルブ９２を押し上げてケースカバー４０中央部の孔を開放することにより本エアクリーナー１の外部に排出させることができる。
【００２６】
また、フィルタエレメント６０の清掃時などフィルタエレメント６０をケース本体２０より取り外す場合には、先ずケース本体２０下部のクランプ係止部２７に引き掛けられたクランプ４３，４３，４３の係止を解除してケース本体２０よりケースカバー４０を取り外し、続いてダストカバー８０をフィルタエレメント６０の下部より取り外す。そしてフィルタエレメント６０の下部を手でつかんで斜めに傾け、ケース本体２０の上壁２１に吸着したシール部材６５のリップ部６５ｂを上壁２１より剥がれるようにする。この後フィルタエレメント６０を下方に引き抜いてケース本体２０より取り出せばフィルタエレメント６０をケース本体２０より分離することができる。
【００２７】
本エアクリーナー１の構成は上述の通りであるが、本エアクリーナー１においては前述のように、下部シール６６がフィルタエレメント６０の下方に位置する固定キャップ６４の下面側に一体に設けられているため、下部シール６６が受容溝８１内に受容されると同時にダストカバー８０のフィルタエレメント６０に対する保持位置決めが行われる。このことから、別途フィルタエレメント６０に対する保持位置決め機能を設けなくてもよいため、ケース本体２０の構造がより単純化されて、フィルタエレメント６０をダストカバー８０により下部を保持させた状態でケース本体２０の下部より挿入取り付けを行い、このダストカバー８０を更に下から保持するようにケースカバー４０をケース本体２０の下部に装着させる作業が容易となり、フィルタエレメント６０着脱時の作業性は向上する。
【００２８】
なお、下部シール６６はシール性能を有するゴムを材料として、樹脂やウレタン等を材料とする固定キャップ６４と一体に成型されているが、本発明はこれに限られるものではなく、金属製の固定キャップにゴム製の下部シールを接着させて一体に形成されてもよい。
【００２９】
【発明の効果】
以上説明したように、本発明によるエアクリーナーによれば、断面台形状のリング状のシールがフィルタエレメントの一端の底面上に外方に突出して一体に設けられているため、ダストカバーの内部底面に設けられたシール断面と同一断面形状で同一径のリング状の凹部からなる受容溝内にこのシールを容易に受容させると同時にダストカバーのフィルタエレメントに対する保持位置決めを行うことができる。このことから、別途フィルタエレメントに対する保持位置決め機能を設けなくてもよいため、クリーナーケース内の構造がより単純化されて、フィルタエレメントをクリーナーケース内に収容してケースカバーをクリーナーケースの開口を覆って取り付ける作業が容易となり、フィルタエレメント着脱時の作業性は向上する。
【図面の簡単な説明】
【図１】本発明に係るエアクリーナーの一実施形態を示す部分断面正面図である。
【図２】図１に示す本エアクリーナーの部分断面右側面図である。
【図３】図１に示す本エアクリーナーの部分断面左側面図である。
【図４】図１に示す本エアクリーナーの部分断面平面図である。
【図５】図１における矢視V−Vより見た断面図である。
【図６】図２における矢視VI−VIより見た断面図である。
【図７】図３における矢視VIIより見た底面図である。
【図８】本エアクリーナーの分解斜視図である。
【図９】インレットパイプの斜視図である。
【図１０】フィルタエレメントの部分断面正面図である。
【図１１】ダストカバーの正面図である。
【符号の説明】
１      エアクリーナー
１０    クリーナーケース
２０    ケース本体
２４    インレット
３２    アウトレット
４０    ケースカバー
６０    フィルタエレメント
６４    固定キャップ
６６    下部シール（シール）
８０    ダストカバー
８１    受容溝
ＥＳ    エレメント収容空間
ＷＳ    水溜め空間
ＲＷ    レゾネータ空間
【図１】
0003974395.tif 000002
【図２】
0003974395.tif 000003
【図３】
0003974395.tif 000004
【図４】
0003974395.tif 000005
【図５】
0003974395.tif 000006
【図６】
0003974395.tif 000007
【図７】
0003974395.tif 000008
【図８】
0003974395.tif 000009
【図９】
0003974395.tif 000010
【図１０】
0003974395.tif 000011
【図１１】
0003974395.tif 000012